(57)【特許請求の範囲】
【請求項１】
建具枠と、前記建具枠に対して回動可能に取り付けられた障子と、前記建具枠および障子間に架け渡されて障子の開き角度を規制するアームとを備える建具であって、
前記障子は、
障子の回転軸に平行に配置されて障子を開いた際に前記建具枠との間に開口が形成される戸先框と、
前記戸先框と平行に設けられる吊元框と、
前記戸先框および吊元框の端部間に配置される２つの連結框と、
前記２つの連結框および前記戸先框を連結する２つの框連結金具とを備え、
前記框連結金具は、前記連結框に取り付けられる連結部と、前記戸先框が取り付けられる取付部とを備え、
前記戸先框は、前記框連結金具の取付部に対して前記連結框の長手方向に沿って着脱可能に設けられ、前記戸先框の見込み面から前記框連結金具の取付部に連結具を挿入することで、前記戸先框は前記框連結金具を介して連結框に連結され、
前記框連結金具の取付部は、前記戸先框が取り付けられた際に、戸先框の見込み面に露出する露出部を備え、
前記アームは、前記框連結金具の露出部に取り付けられる取付金具と、この取付金具に対して回転自在に設けられたアーム本体とを備え、
前記取付金具は、前記框連結金具に対して前記連結框の長手方向に沿って着脱可能に設けられ、前記取付金具から前記框連結金具の露出部に連結具を挿入することで、前記取付金具は前記框連結金具に取り付けられる
ことを特徴とする建具。
【請求項２】
前記框連結金具の取付部には、前記戸先框用の連結具が挿入される連結穴と、前記取付金具用の連結具が挿入される連結穴とが、障子の見込方向に沿って形成され、
前記取付金具用の連結具のねじ穴は、前記戸先框用の連結具のねじ穴に比べて障子を開く方向側に設けられている
ことを特徴とする請求項１に記載の建具。
【請求項３】
建具枠と、前記建具枠に対して回動可能に取り付けられた障子とを備える建具であって、
前記障子は、
障子の回転軸に平行に配置されて障子を開いた際に前記建具枠との間に開口が形成される戸先框と、
前記戸先框と平行に設けられる吊元框と、
前記戸先框および吊元框の端部間に配置される２つの連結框と、
前記２つの連結框および前記戸先框を連結する２つの框連結金具とを備え、
前記框連結金具は、
前記戸先框を取り付ける連結具が挿入される連結穴を有する平板状の取付部と、
この取付部から直交方向に連続して形成されて前記連結框に取り付けられる平板状の連結部と、
この連結部から直交方向に連続して形成されて前記取付部と平行に設けられた平板状の板部とを備えて断面コ字状に形成され、
前記戸先框は、前記框連結金具の取付部に対して前記連結框の長手方向に沿って着脱可能に設けられ、前記戸先框の見込み面から前記框連結金具の取付部に連結具を挿入することで、前記戸先框は前記框連結金具を介して連結框に連結され、
前記戸先框は、前記框連結金具の取付部を挿通でき、かつ、前記板部の周面に当接可能な切欠部を備える
ことを特徴とする建具。
【請求項４】
前記建具枠および障子間に架け渡されて障子の開き角度を規制するアームを備え、
前記框連結金具の取付部は、前記戸先框が取り付けられた際に、戸先框の見込み面に露出する露出部を備え、
前記アームは、前記框連結金具の露出部に取り付けられる取付金具と、この取付金具に対して回転自在に設けられたアーム本体とを備え、
前記取付金具は、前記框連結金具に対して前記連結框の長手方向に沿って着脱可能に設けられ、前記取付金具から前記框連結金具の露出部に連結具を挿入することで、前記取付金具は前記框連結金具に取り付けられ、
前記框連結金具の取付部には、前記戸先框用の連結具が挿入される連結穴と、前記取付金具用の連結具が挿入される連結穴とが、障子の見込方向に沿って形成され、
前記取付金具用の連結具のねじ穴は、前記戸先框用の連結具のねじ穴に比べて障子を開く方向側に設けられている
ことを特徴とする請求項３に記載の建具。
【請求項５】
前記戸先框は、障子の上框で構成され、
前記吊元框は、障子の下框で構成され、
前記連結框は、障子の縦框で構成され、
前記吊元框が、前記建具枠の下枠に対して回動自在に設けられた内倒し窓である
ことを特徴とする請求項１から請求項４のいずれかに記載の建具。
【請求項６】
前記内倒し窓は、建物の開口に設けられるサッシ上枠、サッシ下枠及び左右のサッシ縦
枠からなるサッシ枠内に設けられる、スライド開閉自在な少なくとも一つのスライド障子、あるいは前記サッシ枠内に設けられる固定障子に組み込まれていることを特徴とする請求項５に記載の建具。
【発明の詳細な説明】
【技術分野】
【０００１】
本発明は、内倒し窓、突き出し窓、横軸回転窓、開き窓のように、建具枠に対して回転軸を介して屋内側や屋外側に回転される障子を有する建具に関する。
【背景技術】
【０００２】
ガラス施工やメンテナンス性を考慮し、窓枠に障子を吊り込んだ状態でガラスを着脱できるように構成した窓が知られている（たとえば、特許文献１参照）。この窓では、障子の框に対して障子の見付面（たとえば屋内面）から着脱できる押縁を用い、押縁を取り外すことでガラスを着脱していた。
【先行技術文献】
【特許文献】
【０００３】
【特許文献１】特開２００３−９０１６１公報
【発明の概要】
【発明が解決しようとする課題】
【０００４】
ところで、前記押縁構造を採用した場合、押縁は框に対して着脱できる構造としなければならず、かつ、框に取り付けた場合には框から容易に外れることがなく、ガラスを確実に支持する必要がある。このため、框の見付寸法や見込寸法が大きくなり、窓枠からの出幅寸法（見込み方向の突出寸法）も大きくなる。
従って、障子の重量が増加し、框の他に押縁が必要なために部材点数が増えてコストが増加する。また、框の見付寸法が大きくなるため、ガラスの面積が小さくなり、窓における眺望性、採光性、意匠性が低下するという不都合がある。
このため、押縁を設けずに、かつ、障子を建具枠に吊り込んだ状態でガラス等の面材を容易に交換できる建具が求められていた。
【０００５】
本発明の目的は、押縁を用いずに、かつ、障子を建具枠に吊り込んだ状態で面材を容易に交換できる建具を提供することにある。
【課題を解決するための手段】
【０００６】
本発明の建具は、建具枠と、前記建具枠に対して回動可能に取り付けられた障子と、前記建具枠および障子間に架け渡されて障子の開き角度を規制するアームとを備える建具であって、前記障子は、障子の回転軸に平行に配置されて障子を開いた際に前記建具枠との間に開口が形成される戸先框と、前記戸先框と平行に設けられる吊元框と、前記戸先框および吊元框の端部間に配置される２つの連結框と、前記２つの連結框および前記戸先框を連結する２つの框連結金具とを備え、前記框連結金具は、前記連結框に取り付けられる連結部と、前記戸先框が取り付けられる取付部とを備え、前記戸先框は、前記框連結金具の取付部に対して前記連結框の長手方向に沿って着脱可能に設けられ、前記戸先框の見込み面から前記框連結金具の取付部に連結具を挿入することで、前記戸先框は前記框連結金具を介して連結框に連結され、前記框連結金具の取付部は、前記戸先框が取り付けられた際に、戸先框の見込み面に露出する露出部を備え、前記アームは、前記框連結金具の露出部に取り付けられる取付金具と、この取付金具に対して回転自在に設けられたアーム本体とを備え、前記取付金具は、前記框連結金具に対して前記連結框の長手方向に沿って着脱可能に設けられ、前記取付金具から前記框連結金具の露出部に連結具を挿入することで、前記取付金具は前記框連結金具に取り付けられることを特徴とする。
【０００７】
本発明の建具は、突出し窓、内倒し窓、外倒し窓のように障子の回転軸が水平方向であり、かつ、回転軸が障子の端部（吊元框側）に設けられた建具でもよいし、開き窓（片開き、両開き）のように障子の回転軸が鉛直方向であり、かつ、回転軸が障子の端部に設けられた建具でもよい。
また、本発明の建具は、横軸回転窓や縦軸回転窓のように回転軸が障子の端部ではない建具でもよい。この横軸回転窓や縦軸回転窓の場合、回転軸に平行な２つの框のうち、一方を戸先框、他方を吊元框とすればよく、特に、障子の框内に組み込まれるガラス等の面材の交換作業を行いやすい側の框を戸先框とすればよい。さらに、本発明の建具は、横すべり出し窓や縦すべり出し窓でもよい。
また、連結具としては、ねじでもよいし、連結用のピンなどでもよい。
【０００８】
この発明によれば、戸先框は、連結框に対して連結ねじ等の連結具で取り付けられている。この連結具は、戸先框の見込み面から框連結金具に挿入（ねじの場合はねじ込み）されているので、障子を開けば、連結具が露出する。たとえば、内倒し窓では上框が戸先框となり、障子を開くと上框の見込み面（上面）や連結具は、窓を開いた作業者側に露出する。従って、作業者は、ドライバー等を用いて連結具を容易に外したり、挿入することができる。
また、戸先框は、框連結金具に対して連結框の長手方向（戸先框の見付方向）に沿って着脱可能に設けられているので、障子を開いて前記連結具を取り外せば、戸先框も容易に着脱できる。従って、障子を建具枠に取り付けた状態で、框内にガラスなどの面材を組み込んだり、面材を交換することができる。従って、押縁を用いることなく、面材を容易に交換することができ、面材の施工性やメンテナンス性を向上できる。
さらに、押縁を用いる必要がないため、押縁を用いた従来の障子に比べて、框の見付寸法や見込寸法、窓枠からの出幅寸法を小さくでき、その分、障子の重量や部材点数も減少できてコストを低減できる。また、押縁を用いた従来の障子に比べて、框の見付寸法を小さくできるので、ガラスの露出面積を大きくでき、窓における眺望性や採光性や意匠性を向上できる。
なお、連結具として連結ねじを用いる場合、連結框と吊元框は、一般的な障子と同様に、吊元框にビスホールを形成し、連結框から吊元框のビスホールに連結ねじをねじ込むことで直接連結すればよいが、戸先框と同様に連結金具を用いて連結してもよい。
【００１０】
本発明によれば、アームの取付金具を、框連結金具において、戸先框の見込み面に露出する露出部に取り付けているので、戸先框を取り付けた状態で取付金具を取り外すことができる。
そして、取付金具を外せば、障子を大きく開くことができる。このため、障子を分解することなく、気密材などの部品のメンテナンスや、アーム自体の交換作業などを容易に行うことができる。また、障子を分解せずに窓枠から取り外すこともでき、障子自体のメンテナンス作業も容易に行うことができる。
【００１１】
さらに、前記框連結金具の取付部には、前記戸先框用の連結具が挿入される連結穴と、前記取付金具用の連結具が挿入される連結穴とが、障子の見込方向に沿って形成され、前記取付金具用の連結具の連結穴は、前記戸先框用の連結具の連結穴に比べて障子を開く方向側に設けられていることが好ましい。
【００１２】
この発明によれば、取付金具用の連結具を、戸先框用の連結具に対して、框連結金具において障子を開く方向側、すなわち、障子を開いた際に建具枠から離れる側に設けることができる。このため、取付金具用の連結具をドライバーなどで取り外す場合は、戸先框用の連結具を取り外す場合に比べて、建具枠が干渉する可能性も低くなり、容易に取り外すことができる。
戸先框は、面材の施工時や破損などに伴う交換時のみに取り外せばよく、その取り外し頻度は少ない。一方、アームの取付金具は、気密材などの部品のメンテナンス作業時に取り外す必要があり、戸先框の取り外し頻度に比べて頻度が多い。従って、取付金具用の連結具を容易に着脱できるように構成すれば、メンテナンス作業性を向上できる。
【００１３】
また、本発明の建具は、建具枠と、前記建具枠に対して回動可能に取り付けられた障子とを備える建具であって、前記障子は、障子の回転軸に平行に配置されて障子を開いた際に前記建具枠との間に開口が形成される戸先框と、前記戸先框と平行に設けられる吊元框と、前記戸先框および吊元框の端部間に配置される２つの連結框と、前記２つの連結框および前記戸先框を連結する２つの框連結金具とを備え、前記框連結金具は、前記戸先框を取り付ける連結具が挿入される連結穴を有する平板状の取付部と、この取付部から直交方向に連続して形成されて前記連結框に取り付けられる平板状の連結部と、この連結部から直交方向に連続して形成されて前記取付部と平行に設けられた平板状の板部とを備えて断面コ字状に形成され、前記戸先框は、前記框連結金具の取付部に対して前記連結框の長手方向に沿って着脱可能に設けられ、前記戸先框の見込み面から前記框連結金具の取付部に連結具を挿入することで、前記戸先框は前記框連結金具を介して連結框に連結され、前記戸先框は、前記框連結金具の取付部を挿通でき、かつ、前記板部の周面に当接可能な切欠部を備えることを特徴とする。
この発明によれば、戸先框は、連結框に対して連結ねじ等の連結具で取り付けられている。この連結具は、戸先框の見込み面から框連結金具に挿入（ねじの場合はねじ込み）されているので、障子を開けば、連結具が露出する。たとえば、内倒し窓では上框が戸先框となり、障子を開くと上框の見込み面（上面）や連結具は、窓を開いた作業者側に露出する。従って、作業者は、ドライバー等を用いて連結具を容易に外したり、挿入することができる。
また、戸先框は、框連結金具に対して連結框の長手方向（戸先框の見付方向）に沿って着脱可能に設けられているので、障子を開いて前記連結具を取り外せば、戸先框も容易に着脱できる。従って、障子を建具枠に取り付けた状態で、框内にガラスなどの面材を組み込んだり、面材を交換することができる。従って、押縁を用いることなく、面材を容易に交換することができ、面材の施工性やメンテナンス性を向上できる。
さらに、押縁を用いる必要がないため、押縁を用いた従来の障子に比べて、框の見付寸法や見込寸法、窓枠からの出幅寸法を小さくでき、その分、障子の重量や部材点数も減少できてコストを低減できる。また、押縁を用いた従来の障子に比べて、框の見付寸法を小さくできるので、ガラスの露出面積を大きくでき、窓における眺望性や採光性や意匠性を向上できる。
加えて、この発明によれば、戸先框に切欠部を形成しているので、框連結金具を連結框に取り付けた状態で戸先框を取り外すことができる。従って、戸先框の着脱作業を容易に行うことができる。
また、框連結金具は、断面コ字状に形成され、板部が戸先框の切欠部に当接するため、戸先框と、框連結金具や連結框とを容易に位置合わせできる。さらに、連結具として連結ねじを用い、そのねじ止めによって戸先框に回転方向の力が加わっても、前記切欠部が板部の周面に当接してその力を受けることができるので、戸先框に口開きが生じることも防止できる。
【００１４】
また、框連結金具が断面コ字状に形成された本発明の建具では、前記建具枠および障子間に架け渡されて障子の開き角度を規制するアームを備え、前記框連結金具の取付部は、前記戸先框が取り付けられた際に、戸先框の見込み面に露出する露出部を備え、前記アームは、前記框連結金具の露出部に取り付けられる取付金具と、この取付金具に対して回転自在に設けられたアーム本体とを備え、前記取付金具は、前記框連結金具に対して前記連結框の長手方向に沿って着脱可能に設けられ、前記取付金具から前記框連結金具の露出部に連結具を挿入することで、前記取付金具は前記框連結金具に取り付けられることが好ましい。
さらに、框連結金具が断面コ字状に形成された本発明の建具では、前記框連結金具の取付部には、前記戸先框用の連結具が挿入される連結穴と、前記取付金具用の連結具が挿入される連結穴とが、障子の見込方向に沿って形成され、前記取付金具用の連結具の連結穴は、前記戸先框用の連結具の連結穴に比べて障子を開く方向側に設けられていることが好ましい。
この発明によれば、アームの取付金具を、框連結金具において、戸先框の見込み面に露出する露出部に取り付けているので、戸先框を取り付けた状態で取付金具を取り外すことができる。
そして、取付金具を外せば、障子を大きく開くことができる。このため、障子を分解することなく、気密材などの部品のメンテナンスや、アーム自体の交換作業などを容易に行うことができる。また、障子を分解せずに窓枠から取り外すこともでき、障子自体のメンテナンス作業も容易に行うことができる。
また、この発明によれば、取付金具用の連結具を、戸先框用の連結具に対して、框連結金具において障子を開く方向側、すなわち、障子を開いた際に建具枠から離れる側に設けることができる。このため、取付金具用の連結具をドライバーなどで取り外す場合は、戸先框用の連結具を取り外す場合に比べて、建具枠が干渉する可能性も低くなり、容易に取り外すことができる。
戸先框は、面材の施工時や破損などに伴う交換時のみに取り外せばよく、その取り外し頻度は少ない。一方、アームの取付金具は、気密材などの部品のメンテナンス作業時に取り外す必要があり、戸先框の取り外し頻度に比べて頻度が多い。従って、取付金具用の連結具を容易に着脱できるように構成すれば、メンテナンス作業性を向上できる。
【００１５】
また、前記戸先框は、障子の上框で構成され、前記吊元框は、障子の下框で構成され、前記連結框は、障子の縦框で構成され、前記吊元框が、前記建具枠の下枠に対して回動自在に設けられた内倒し窓であることが好ましい。
この発明によれば、内倒し窓を屋内側に開くことで、上框（戸先框）が屋内側に露出する。従って、作業者は、上框の連結具をドライバー等で外せば、障子を窓枠から取り外すことなく、上框を縦框から取り外すことができる。従って、框内にガラスなどの面材を容易に施工することができる。また、面材の交換が必要な場合も、容易に交換できる。
【００１６】
また、前記内倒し窓は、建物の開口に設けられるサッシ上枠、サッシ下枠及び左右のサッシ縦枠からなるサッシ枠内に設けられる、スライド開閉自在な少なくとも一つのスライド障子、あるいは前記サッシ枠内に設けられる固定障子に組み込まれていることが好ましい。
【００１７】
ここで、スライド障子としては、たとえば引違い窓や片引き窓等に用いられるスライド障子が利用できる。また、固定障子としては、たとえばＦＩＸ窓を構成する固定障子や、片引き窓に設けられる固定障子が利用できる。
この発明によれば、たとえば引違い窓や片引き窓等において、サッシ枠内に設けられる少なくとも一つのスライド障子や、ＦＩＸ窓や片引き窓等において、サッシ枠内に設けられる固定障子に内倒し窓を組み込んだので、スライド障子や固定障子に設けた内倒し窓（換気小窓）を開放することで室内と室外が連通し、室内を換気することができる。
【図面の簡単な説明】
【００１８】
【図１】本発明の建具である内倒し窓を有する換気小窓付き引違いサッシを示す内観図である。
【図２】図１のＡ−Ａ線に沿った断面図である。
【図３】図１のＢ−Ｂ線に沿った断面図である。
【図４】内倒し窓の障子における上框および縦框の連結構造を示す図である。
【図５】内倒し窓の障子における上框を分解した分解斜視図である。
【図６】内倒し窓の障子におけるアームの取付金具を分解した分解斜視図である。
【図７】網戸の取付手順を説明する図である。
【図８】網戸の取付手順を説明する図である。
【図９】網戸の取付手順を説明する図である。
【発明を実施するための形態】
【００１９】
以下、本発明の実施形態を図面に基づいて説明する。
図１に示すように、換気小窓付き引違いサッシ１は、サッシ枠２と、サッシ枠２内に配置された外障子３、内障子４とを備えている。
内障子４は、上框４Ａ、下框４Ｂ、召合せ框４Ｃ、戸当り框４Ｄを方形状に連結し、召合せ框４Ｃおよび戸当り框４Ｄ間に中帯４Ｅを連結した框組体を備えている。そして、中帯４Ｅの上側に形成される上部開口部にはガラス５を装着し、中帯４Ｅの下側に形成される下部開口部には換気用小窓６が取り付けられている。
【００２０】
［換気用小窓］
換気用小窓６は、建具枠である窓枠１０と、障子２０とを備え、窓枠１０に対して障子２０を屋内側に回動自在に取り付けた内倒し窓である。
【００２１】
［換気用小窓の窓枠］
窓枠１０は、図２，３に示すように、上枠１１と、下枠１２と、左右の縦枠１３，１４とを方形状に連結して構成されている。なお、図２，３は図１のＡ−Ａ線、Ｂ−Ｂ線に沿った断面図であるが、図面を見やすくするために断面のハッチングは省略している。また、図３の障子２０は、上框２１を取り外した状態の図としている。
上枠１１、下枠１２、縦枠１３，１４の外周面には係合片１５が突出されている。これらの係合片１５は、前記内障子４の下框４Ｂ、召合せ框４Ｃ、戸当り框４Ｄ、中帯４Ｅの内周に形成された凹部に嵌入されている。これにより、窓枠１０は内障子４の下部開口部の内周面に取り付けられている。
【００２２】
［換気用小窓の障子］
障子２０は、戸先框である上框２１と、吊元框である下框２２と、連結框である左右の縦框２３，２４と、框連結金具２５と、面材であるガラス２６を備えている。ガラス２６は複層ガラスとされている。
【００２３】
［上框］
上框２１は、図２に示すように、ガラス２６の屋外側および屋内側を保持するガラス保持片２１１、２１２と、これらのガラス保持片２１１，２１２を連結する連結片２１３と、連結片２１３の屋内側端部から上方に突出された突出片２１４と、連結片２１３の屋外側端部近傍から上方に突出され、上端縁が屋内側に折曲された断面逆Ｌ字状の取付片２１５とを備えている。
突出片２１４および取付片２１５間には、上框２１の見付け方向に沿った隙間が形成されている。
また、連結片２１３の両端部には、図４，５に示すように、凹部状の切欠部２１３Ａが形成されている。取付片２１５の両端部には、穴２１５Ａが形成されている。
【００２４】
［下框］
下框２２は、図２に示すように、ガラス２６の屋外側および屋内側を保持するガラス保持片２２１、２２２と、これらのガラス保持片２２１，２２２を連結する連結片２２３と、連結片２２３の屋内側端部から下方に突出された突出片２２４とを備えている。
連結片２２３にはビスホール２２３Ａが形成され、図３，４に示すように、縦框２３，２４の側面（連結片２３３、２４３）から前記ビスホール２２３Ａに連結ねじ３１をねじ込むことで、下框２２および縦框２３，２４は直接連結されている。
【００２５】
突出片２２４の下端部には円弧状凹部２２５が形成されている。この円弧状凹部２２５は、下枠１２に形成された障子取付片１２１に嵌合されている。
障子２０は、この円弧状凹部２２５および障子取付片１２１の嵌合部を回転軸として、窓枠１０に対して回転自在に取り付けられている。
【００２６】
［縦框］
縦框２３，２４は、図３に示すように、ガラス２６の屋外側および屋内側を保持するガラス保持片２３１、２３２、２４１、２４２と、これらのガラス保持片２３１、２３２、２４１、２４２を連結する連結片２３３、２４３と、連結片２３３、２４３の屋内側端部から外側に突出された突出片２３４、２４４とを備えている。
縦框２３，２４の連結片２３３、２４３には、上端縁から所定寸法下側の位置に、段付きねじ２７が取り付けられている。
【００２７】
［上框と縦框の接合構造］
上框２１と、縦框２３，２４とは、図４に示すように、框連結金具２５を介して連結されている。
框連結金具２５は、平板状の取付部２５１と、この取付部２５１から直交方向に連続して形成された平板状の連結部２５２と、この連結部２５２から直交方向に連続して形成されて前記取付部２５１と平行に設けられた平板状の板部２５３とを備えて断面コ字状に形成されている。
【００２８】
框連結金具２５の連結部２５２は、図４に示すように、各縦框２３，２４の連結片２３３、２４３に連結ねじ３２，３３で取り付けられている。連結ねじ３２，３３は、縦框２３，２４の見込み方向に並んで配置されており、突出片２３４、２４４に近い側、つまり屋内側の連結ねじ３３は、皿ねじとされ、連結片２３３、２４３の表面から連結ねじ３３の頭が突出しないようにされている。
【００２９】
框連結金具２５の取付部２５１は、見込み方向に２つのねじ穴（連結穴）２５１Ａ，２５１Ｂが形成されている。
ねじ穴２５１Ａには、雌ねじが加工され、上框２１の穴２１５Ａを介して連結ねじ（連結具）３４がねじ込まれている。
ねじ穴２５１Ｂには、雌ねじが加工され、後述するアーム用の取付金具４１を介して連結ねじ（連結具）３５がねじ込まれる。
【００３０】
また、框連結金具２５に上框２１をねじ止めした際に、板部２５３が切欠部２１３Ａの周面に当接可能な位置に配置されるようにされている。すなわち、上框２１における連結片２１３から取付片２１５の下面までの高さ寸法は、框連結金具２５の高さ寸法とほぼ同じ寸法とされている。
【００３１】
［障子用アームの構造］
障子２０は、前述のとおり、下框２２の円弧状凹部２２５が、下枠１２の障子取付片１２１に嵌合することで、窓枠１０に対して回動可能に設けられる。この障子２０の回動角度、つまり開き角度は、内倒しアーム４０によって設定される。
【００３２】
内倒しアーム４０は、図３，５に示すように、取付金具４１と、アーム本体４２と、スライド部材４３とを備えている。
取付金具４１は、図６にも示すように、Ｌ型形状の金具であり、下端縁に開口する溝４１１と、軸穴４１２と、連結ねじ３５が挿通される穴４１３とが形成されている。
そして、取付金具４１は、前記溝４１１を段付きねじ２７に差し込み、連結ねじ３５を、穴４１３を介して框連結金具２５のねじ穴２５１Ｂにねじ込むことで、障子２０に取り付けられる。
【００３３】
ここで、框連結金具２５の取付部２５１における見込み方向の屋内側、つまり前記ねじ穴２５１Ｂが形成される側は、取付片２１５と突出片２１４の隙間に露出する露出部とされている。
従って、前記取付金具４１は、図６に示すように、連結ねじ３５を取り外すことで、上框２１を外すことなく障子２０から着脱できる。
【００３４】
アーム本体４２は、長板状に形成され、その一端側にはリベット等からなる回動軸が設けられている。この回動軸は、前記取付金具４１の軸穴４１２に回動自在に挿入されてかしめられている。また、アーム本体４２の他端側は、スライド部材４３に対してかしめにより回動自在に連結されている。
従って、内倒しアーム４０は、取付金具４１、アーム本体４２、スライド部材４３の各部品が、かしめによって一体の部品となっている。
スライド部材４３は、図３に示すように、縦枠１３，１４に形成されたレール１３１、１４１にガイドされ、上下方向に移動可能に設けられている。なお、レール１３１、１４１は、図７に示すように、上下方向の所定高さ位置で切り欠かれている。このレール１３１、１４１の切欠部分には、スライド部材４３の上方への移動を規制するストッパ部品１４５がねじ止めされている。また、ストッパ部品１４５をレール１３１、１４１の切欠部分から取り外すと、前記スライド部材４３をレール１３１、１４１の切欠部分から引き抜くことができる。
【００３５】
［換気用小窓のシール構造］
換気用小窓６のシール構造は、図２，３に示すように、水切り材５１と、気密材５２とを備えている。水切り材５１は、上枠１１、縦枠１３，１４に取り付けられている。水切り材５１は、後述する網戸６０に接触し、雨水の浸入をある程度防ぐことができる。また、網戸６０を備えていない場合は、前記水切り材５１は障子２０に接触し、雨水の浸入をある程度防ぐことができる。
気密材５２は、上枠１１、下枠１２、縦枠１３，１４に四周連続して取り付けられている。この気密材５２は、障子２０を閉めた際に、前記上框２１、下框２２、縦框２３，２４の突出片２１４，２２４，２３４，２４４に圧着して気密性を確保する。
【００３６】
［ガラス施工・メンテナンス手順］
次に、換気用小窓（内倒し窓）６において、ガラス２６の施工や交換などのメンテナンスの手順について説明する。
本実施形態の換気用小窓６では、以下に説明するように、換気用小窓６を内障子４に吊り込んだ（組み込んだ）状態でガラス２６の施工や交換が可能とされている。
まず、障子２０を開く。換気用小窓６は、内倒し窓であるため、下框２２側を回転軸として上框２１側が屋内側に倒れる。上框２１が屋内に露出するため、図５に示すように、作業者はドライバーを用いて、連結ねじ３４を框連結金具２５のねじ穴２５１Ａから取り外す。
次に、上框２１を斜め上方、具体的には縦框２３，２４の長手方向に沿った方向に引き抜く。この際、上框２１には切欠部２１３Ａが形成されており、この切欠部２１３Ａにより上框２１は框連結金具２５に干渉することなく移動できるので、框連結金具２５を縦框２３，２４に取り付けた状態で、上框２１を引き抜くことができる。
【００３７】
上框２１を引き抜けば、障子２０の上面側が開口されるので、縦框２３，２４間にガラス２６を設置したり、ガラス２６を交換することができる。ガラス２６の配置が終われば、前記取り外し手順とは逆に、上框２１を縦框２３，２４間に配置して連結ねじ３４を用いて取り付ければよい。
【００３８】
［部品・障子メンテナンス手順］
次に、水切り材５１、気密材５２や後述する網戸６０等の部品のメンテナンスや、障子２０のメンテナンスの手順について説明する。
この場合も、まず障子２０を開く。上框２１が屋内に露出するため、図６に示すように、作業者はドライバーを用いて、連結ねじ３５を框連結金具２５のねじ穴２５１Ｂから取り外す。これにより、取付金具４１を框連結金具２５から取り外すことができる。すなわち、取付金具４１は、框連結金具２５の露出部、つまり上框２１の突出片２１４および取付片２１５間の隙間部分に配置されているので、斜め上方、具体的には縦框２３，２４の長手方向に沿った方向に引き抜くことで、上框２１に干渉することなく移動できる。このため、上框２１を框連結金具２５に取り付けた状態で、取付金具４１を取り外すことができる。
取付金具４１を障子２０から取り外せば、障子２０を大きく開くことが可能となり、ストッパ部品１４５のねじもドライバーなどで取り外すことができるようになる。
次に、レール１３１、１４１の切欠部分からストッパ部品１４５を取り外す。そして、内倒しアーム４０のスライド部材４３を、レール１３１、１４１の切欠部分から引き抜いて取り外す。これにより、内倒しアーム４０を窓枠１０および障子２０から外すことができる。
【００３９】
取付金具４１を障子２０から取り外すことができるので、障子２０を分解することなく、取付金具４１やアーム本体４２、スライド部材４３等のアーム４０の部品を交換することができる。
また、アーム４０を取り外せば、障子２０の開き角度を大きくできるので、障子２０を分解することなく、水切り材５１、気密材５２、網戸６０の交換作業やメンテナンス作業を容易に行うことができる。
さらに、障子２０を大きく回転させれば、障子取付片１２１から円弧状凹部２２５を取り外すこともできる。従って、障子２０を分解することなく、窓枠１０から障子２０を取り外すことができ、障子２０のメンテナンス作業も行うことができる。
【００４０】
障子２０を元の状態に戻すには、前記手順と逆の手順で行えばよい。すなわち、内倒しアーム４０のスライド部材４３を、レール１３１、１４１の切欠部分に挿入してレール１３１、１４１に案内させ、ストッパ部品１４５をレール１３１、１４１の切欠部分に取り付ける。
また、内倒しアーム４０の取付金具４１を、その溝４１１を段付きねじ２７に差し込みながら配置する。そして、連結ねじ３５を用いて取付金具４１を框連結金具２５に取り付ければよい。
【００４１】
［網戸の取付手順］
次に、換気用小窓６に網戸６０を取り付ける手順について図７〜９に基づいて説明する。
網戸６０は、方形状に組まれた網戸框６１と、網戸框６１に取り付けられた網６２とを備えている。網戸框６１は、屋内側端縁から外側に突出するヒレ部６１１を備えている。
ヒレ部６１１は、上枠１１、縦枠１３，１４の水切り材５１が取り付けられた部分に屋内側から当接し、窓枠１０との掛かり代とされている。このため、網戸６０が屋外側に脱落することを防止でき、屋内側から網戸６０を着脱できるようにされている。
【００４２】
このような網戸６０は、図７に示すように、取付金具４１を取り外して障子２０を大きく開き、その開口から窓枠１０内に挿入する。この際、縦枠１３，１４の内面上部には網戸外れ止め金具６５がレール１３１、１４１に沿って取り付けられている。網戸外れ止め金具６５には、長穴が形成され、この長穴部分を挿通するねじ６６によって上下方向にスライド移動可能に取り付けられている。
前記網戸６０を取り付ける場合は、網戸外れ止め金具６５は上側に移動しておく。
【００４３】
そして、図８に示すように、網戸框６１の下框を、下枠１２の上面に形成された網戸ガイドレール１２２に係合させる。
さらに、図９に示すように、網戸框６１の各ヒレ部６１１を、上枠１１、縦枠１３，１４の水切り材５１に当接させる。そして、前記網戸外れ止め金具６５を下方にスライドし、網戸框６１のヒレ部６１１の屋内面に当接させて網戸６０が屋内側に倒れることを防止する。
【００４４】
その後、障子２０に取付金具４１を取り付けて、障子２０を元の状態に戻す。
なお、網戸６０を取り外す場合には、上記の取付手順と逆の手順で行うことができる。
【００４５】
このような本実施形態によれば、以下の効果が得られる。
（１）換気用小窓６の障子２０における上框２１は、縦框２３，２４の内面上端部に取り付けられた框連結金具２５に対して、上框２１の上面（見込み面）からねじ込まれる連結ねじ３４で取り付けられている。さらに、上框２１には切欠部２１３Ａが形成されているので、上框２１を取り外す際に、上框２１が框連結金具２５に引っ掛かって外せなくなるという不都合は生じない。
このため、障子２０を開けば、作業者は、連結ねじ３４および上框２１を容易に取り外すことができる。このため、障子２０を窓枠１０に吊り込んだ状態で、ガラス２６の施工や交換作業を行うことができ、ガラス２６の施工性やメンテナンス性を向上できる。
さらに、押縁を用いる必要がないため、押縁を用いた従来の障子に比べて、框の見付寸法や見込寸法、窓枠からの出幅寸法を小さくでき、その分、障子２０の重量や部材点数も減少できてコストを低減できる。また、押縁を用いた従来の障子に比べて、框の見付寸法を小さくできるので、ガラス２６の露出面積を大きくでき、窓における眺望性や採光性や意匠性を向上できる。
【００４６】
（２）また、アーム４０の取付金具４１も、框連結金具２５に対して、上框２１の上面（見込み面）からねじ込まれる連結ねじ３５で取り付けられている。従って、障子２０を開けば、作業者は、連結ねじ３５や取付金具４１（アーム４０）を、障子２０から容易に取り外すことができる。
たとえば、取付金具４１を縦框２３，２４の側面（連結片２３３、２４３）にねじ止めしている場合には、縦框２３，２４の外側に設けられる召合せ框４Ｃや戸当り框４Ｄの見込み寸法が大きいと、障子を開いても取付金具４１のねじを取り外すことができない場合がある。また、換気用小窓６をＦＩＸ窓に取り付けた場合も、縦框２３，２４の外側に躯体が配置され、障子を開いても取付金具４１のねじを取り外すことができない場合がある。これらの場合、換気用小窓６が組み込まれた内障子４自体を分解しなければ、アーム４０を取り外すことができず、気密材５２等の部品のメンテナンス作業を行うことが困難となる。
一方、本実施形態では、上框２１の上面側から連結ねじ３５や取付金具４１を取り外すことができ、縦框２３，２４の側面側の納まりに影響されずにアーム４０を取り外すことができる。従って、気密材５２等の部品のメンテナンス作業や障子２０のメンテナンス作業も容易に行うことができる。また、引違い窓だけでなく、ＦＩＸ窓にも換気用小窓６を設けることができる。
【００４７】
（３）さらに、上框２１の取り外しと、アーム４０（取付金具４１）の取り外しとを独立して行うことができるので、最小限の部品の取り外しでガラス２６や部品などのメンテナンス作業を容易に行うことができる。
【００４８】
（４）網戸６０は、網戸框６１のヒレ部６１１を水切り材５１に屋内側から当接させているので、屋外への脱落を確実に防止でき、網戸６０を屋内側から容易に着脱できて、網戸６０のメンテナンス作業も容易に行うことができる。
さらに、網戸外れ止め金具６５の取付穴を長穴とし、かつ、レール１３１、１４１に沿って上下方向に移動可能に配置しているので、網戸外れ止め金具６５が屋内外方向に回転することを確実に防止できる。このため、網戸６０の屋内側への倒れも確実に防止できる。
【００４９】
（５）取付金具４１の連結ねじ３５を、上框２１の連結ねじ３４よりも屋内側、つまり障子２０を開いた際に窓枠１０から遠い側に配置しているので、連結ねじ３５は連結ねじ３４に比べて容易に着脱できる。このため、ガラス２６に比べてメンテナンス頻度の高い気密材５２等の部品メンテナンス作業をより容易に行うことができる。
【００５０】
（６）框連結金具２５を断面コ字状に形成し、上框２１を取り付けた際に板部２５３が切欠部２１３Ａに当接可能に設けたので、連結ねじ３４のねじ止め時に上框２１に口開きが生じることを防止できる。
【００５１】
なお、本発明は、前記実施形態に限定されるものではなく、本発明の目的が達成できる他の構成等を含み、以下に示すような変形等も本発明に含まれる。
たとえば、框連結金具２５としては、たとえば、取付部２５１と連結部２５２とを備えた断面Ｌ字型の金具を用いてもよい。
また、前記実施形態とは逆に、上框２１の連結ねじ３４を、取付金具４１の連結ねじ３５よりも屋内側、つまり障子２０を開いた際に窓枠１０から遠い側に配置してもよい。
【００５２】
さらに、本発明の建具は、引違いサッシ１に設けられる換気用小窓６に限定されず、通常の窓として用いられるものでもよい。
さらに、本発明の建具は、前記実施形態のような内倒し窓に限らない。すなわち、突出し窓、外倒し窓、開き窓（片開き、両開き）、横軸回転窓、縦軸回転窓、横すべり出し窓や縦すべり出し窓でもよく、障子が建具枠に対して回転して開閉されるスイング系の各種建具に利用できる。
なお、横軸回転窓や縦軸回転窓の場合、回転軸に平行な２つの框のうち、一方を戸先框、他方を吊元框とすればよく、特に、障子の框内に組み込まれるガラス等の面材の交換作業を行いやすい側の框を戸先框とすればよい。
また、本発明の換気用小窓６は、引違いサッシ１の内障子４の下部に設けられる構成に限定されず、内障子４の上部に設けられていても良い。その場合、上框４Ａが戸先框と対向する框材となる。また、本発明の換気用小窓６は、引違いサッシ１の外障子３に設けてもよいし、外障子３および内障子４の両方に設けてもよい。
さらに、本発明の換気用小窓６は、引違いサッシ１のスライド障子に設けられるものに限らない。たとえば、サッシ枠内に固定障子とスライド障子とを組み込んで構成した片引き窓において、固定障子またはスライド障子の上部か下部のどちらか一方に換気用小窓６を組み込んでも良い。さらに、サッシ枠内に固定障子のみを設けて構成したＦＩＸ窓において、固定障子の上部か下部のどちらか一方に換気用小窓６を組み込んでも良い。
【００５３】
また、本発明は、少なくとも戸先框が框連結金具から取り外すことができるように構成されていればよい。このため、アーム４０の取付金具４１は、框連結金具２５に取り付けられるものに限定されない。さらに、面材もガラス２６に限らず、断熱ボードなどでもよく、建具に要求される機能や性能に応じて選択すればよい。また、戸先框や内倒しアーム４０を、框連結金具２５に対して着脱可能に取り付けるための連結具としては、連結ねじ３４，３５に限らず、ピンなどを用いてもよい。
【００５４】
また、本発明の内倒しアーム４０は、取付金具４１、アーム本体４２、スライド部材４３の各部品が、かしめによって一体の部品となっているが、これに限らず各部品が分解できる構成としても良い。その場合、取付金具とアーム本体との結合を解除すれば、取付金具を框連結金具から取り外すことができる。また、ストッパ部品１４５をレール１３１、１４１の切欠部分から取り外すと、前記スライド部材４３をレール１３１、１４１の切欠部分から引き抜くことができる構成としたが、レール１３１、１４１の切欠部分を下框側に設けて、その切欠部分から前記スライド部材４３をレール１３１、１４１から引き抜くことが出来る構成にしても良い。
【００５５】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００５６】
６…換気用小窓（建具）、１０…窓枠（建具枠）、２０…障子、２１…上框（戸先框）、２２…下框（吊元框）、２３，２４…縦框（連結框）、２５…框連結金具、２６…ガラス（面材）、３４，３５…連結ねじ、４０…アーム、４１…取付金具、４２…アーム本体、４３…スライド部材、５１…水切り材、５２…気密材、６０…網戸、６１…網戸框、６５…網戸外れ止め金具、１３１、１４１…レール、２１３…連結片、２１３Ａ…切欠部、２５１…取付部、２５１Ａ，２５１Ｂ…ねじ穴、２５２…連結部、２５３…板部。
【図１】
0005700681.tif 000002
【図２】
0005700681.tif 000003
【図３】
0005700681.tif 000004
【図４】
0005700681.tif 000005
【図５】
0005700681.tif 000006
【図６】
0005700681.tif 000007
【図７】
0005700681.tif 000008
【図８】
0005700681.tif 000009
【図９】
0005700681.tif 000010